(57)【要約】  立ち上がり配管４４、１４４および噴射ポンプ組立体４６、１２０を有する原子炉圧力容器１２に使用される補助ウェッジ位置決め装置/集合体１００。装置１００は横レール１１０を有する保持ブラケット・ボディ１０２に取り付けられたスライド・ウェッジ１０５と、バネ１０３とを有し、保持ブラケット・ボディはセクション１５０、１５２、１５６から成る端部ガル翼鉤状突出部１１１と、翼安定化アタッチメント１５５とを有し、スライド・ウェッジは立ち上がり配管４４、１４４と噴射ポンプ組立体４６、１２０との間に配置して原子炉容器１２が稼働中の振動を抑止するために使用される。
2013510316.tif 000002
【特許請求の範囲】
【請求項１】
原子炉に用いる補助ウェッジ位置決め装置であって、主として、
（ａ）１つの透孔を有する平坦な上端部と、横レールとを有し、２つの一体的な下方鉤状突出部が互いに正対して、横レールに取り付けられ、上方部材セクションおよび下方部材セクションを有する曲がったガル翼形状を呈する保持ブラケット・ボディ、
（ｂ）保持ブラケット・ボディの横レールに取り付けられる平坦な側部と、平坦な端部と、外方へ傾斜した側部とを有する単一の三角形スライド・ウェッジ、
（ｃ）平坦な上端部の透孔を貫通して三角形スライド・ウェッジの平坦な端部と接触する単一のスライド・ロッド、および
（ｄ）スライド・ロッド周りに設けられ、平坦な上端部と接触して三角形スライド・ウェッジの平坦な上端部に圧力を加えることによって，原子炉内での隣接する部材にも圧力を作用させる単一のバネから成る補助ウェッジ位置決め装置。
【請求項２】
鉤状突出部が横レールに隣接する、平行部材セクション、中央上方部材セクション、下方部材セクション、および上方部材セクションと下方部材セクションの双方と連結し、上方部材セクションと下方部材セクションの双方と平行な翼安定化アタッチメントを含む請求項１に記載のウェッジ位置決め装置。
【請求項３】
平行部材セクションが横レールに取り付けられ，横レールから外方に延び、下方部材セクションが上方部材セクションに取り付けられ、上方部材セクション部材が平行部材セクションに取り付けられている請求項２に記載のウェッジ位置決め装置。
【請求項４】
平行部材セクションが保持ブラケット・ボディから９０°の角度で外方へ延び、これに取り付けられた上方部材セクションが下方部材セクションで終端している請求項３に記載のウェッジ位置決め装置。
【請求項５】
上方部材セクションが保持ブラケット・ボディに対して２０°乃至６０°の角度を形成し、下方部材セクションが上方部材セクションに対して７０°乃至１１０°の角度を形成する請求項４に記載のウェッジ位置決め装置。
【請求項６】
周方向保持ブラケットを有する少なくとも１つの噴射ポンプ組立体に冷却水を供給することができる立ち上がり配管を含み、保持ブラケットが少なくとも２つの振動減衰のための調整ネジを有し、それぞれの調整ネジが噴射ポンプ組立体と接触する調整ネジ・ブロック内に位置し、ブラケットが噴射ポンプ組立体の周りに配置されるとともに立ち上がり配管と接触し、かかる組立体および立ち上がり配管が原子炉稼働中に振動させられ，メイン・ウェッジが調整ネジと協働不能となるため、調整ネジに隣接させて少なくとも２つの別々の補助ウェッジ位置決め装置を配置した原子炉において、
（ａ）１つの透孔を有する平坦な上端部と、横レールとを有し、２つの一体的な下方鉤状突出部が互いに正対して、横レールに取り付けられ、上方部材セクションおよび下方部材セクションを有する曲がったガル翼形状を呈し、少なくとも１つの調整ネジ・ブロックと接触するように構成された保持ブラケット・ボディ、
（ｂ）保持ブラケット・ボディの横レールに取り付けられる平坦な側部と、平坦な端部と、外方へ傾斜した側部とを有する単一の三角形スライド・ウェッジ、
（ｃ）平坦な上端部の透孔を貫通して三角形スライド・ウェッジの平坦な端部と接触する単一のスライド・ロッド、および
（ｄ）スライド・ロッド周りに設けられ、平坦な上端部と接触して三角形スライド・ウェッジの平坦な上端部に圧力を加えることによって，原子炉内での隣接する部材にも圧力を作用させる単一のバネから成る少なくとも２つの別々の補助ウェッジ位置決め装置。
【請求項７】
両調整ネジ・ブロックが鉤状突出部と接触してこれを安定化する請求項６に記載の原子炉用ウェッジ位置決め装置。
【請求項８】
ウェッジ位置決め装置がバネ力と重力の組み合わせを利用することによって少なくとも１つの噴射ポンプ組立体に隣接するウェッジを経時的に連続して緊締する請求項６に記載の原子炉用ウェッジ位置決め装置。
【請求項９】
鉤状突出部が横レールに隣接する、平行部材セクション、中央上方部材セクション、下方部材セクション、および上方部材セクションと下方部材セクションの双方と連結し、上方部材セクションと下方部材セクションの双方と平行な翼安定化アタッチメントを含み、翼安定化アタッチメントが上方部材セクションと下方部材セクションの双方と平行であり、少なくとも１つの調整ネジ・ブロックと隣接し、補助ウェッジ位置決め装置の過度の周方向移動の防止に寄与する請求項６に記載のウェッジ位置決め装置。
【請求項１０】
平行部材セクションが横レールに取り付けられて横レールから外方へ延び、端部下方部材セクションが中央上方部材セクションに取り付けられ、上方部材セクションが横レールに続く平行部材セクションに取り付けられている請求項９に記載の原子炉用ウェッジ位置決め装置。
【発明の詳細な説明】
【関連出願の相互参照】
【０００１】
この願は２００９年１１月９日付け米国仮出願第６１／２５９，２９１号に基づく優先権を主張する。
【技術分野】
【０００２】
本発明は広義には原子炉における噴射ポンプの安定化に関わり、より具体的には、原子炉圧力容器内の噴射ポンプ位置決め装置を修正するための補助ウェッジ装置に関わる。
【背景技術】
【０００３】
米国特許第７，０２３，９４９号（"Wivagg'949"）においてWivaggが詳述しているように、沸騰水型原子炉（ＢＷＲ）は原子炉圧力容器（ＲＰＶ）の炉心域に設置された燃料集合体のウラニウムを含むチューブを囲む水を加熱することによってＲＰＶ内に蒸気を発生させるように設計されている。ＲＰＶは炉心域における水の循環を容易にするように設計された再循環ループを有する。再循環ループはＲＰＶから水をくみ上げ、この水を炉心域ＲＰＶの環状部に位置する噴射ポンプ注水口へ環流させる。噴射ポンプ組立体は環状部における周辺の水を取り込んだ後、排出して炉心域に所要の水流パターンを形成するように設計されている。噴射ポンプ組立体には、水流に起因する動水力が発生させる振動が作用する。そこで、或るＢＷＲの設計においては、噴射ポンプ組立体に取り付けられた上下方向に延びるガイドロッドに可動的に取り付けたウェッジを含むサスペンション・システムによって、振動に抗して水平方向に噴射ポンプ組立体をブラケット内に支持している。重さが約７ポンドのウェッジは重力の作用下にブラケットと噴射ポンプ組立体との間のスペースへ摺動降下して噴射ポンプを調整ネジに圧接させるように設計されている。
【０００４】
この設計は公知例を示す（Wivagg' 949からの）図１−３における図１において、原子炉１０は外側原子炉圧力容器１２と、図示しないジルコニウム系のチューブ内に, 多くの場合ＵＯ2から成る燃料を内蔵する炉心集合体を囲む内側炉心シュラウド１８を含む。炉心集合体は冷却水から蒸気を発生させる。給水２２は再循環水排出ノズル３３に流入し、（図示しない）ポンピング・ループを介して給水ノズル４２へポンピングされ、立ち上がり配管４４に達する。
【０００５】
立ち上がり配管４４は“ラムズヘッド”とも呼称されるマニホルド４８に迄達している。１対の噴射ポンプ組立体４６のそれぞれはＲＰＶ圧力容器１２の壁と炉心シュラウド１８の壁によって画定され，環状部周辺の水を捕らえるマニホルド４８に隣接する注水口５０と、混合部５２と、クロスプレート５６上に支持されているディフューザー部５４を含む。噴射ポンプ組立体４６は図２に示すようにその周面に突出部４９を有する。この公知例の場合、各噴射ポンプ組立体４６はそれぞれに連携するメイン・ウェッジ６０を有し、メイン・ウェッジ６０は噴射ポンプ組立体４６に固定されている垂直方向に延びるガイドロッド６２に可動的に取り付けられた。公知例として図２に示すように、メイン・ウェッジ６０は開口６８、より詳しくは図３に示すように、調整位置決めネジ８０を有する制止ブラケット７０の開口６８を貫通して垂直方向に摺動して噴射ポンプ組立体４６と当接するように設計された。ブラケット７０は溶接部７２またはその他の適当な手段を介して立ち上がりポンプ配管４４に取り付けられた。図示のように、図２および３の調整位置決めネジ８０の近傍にはウェッジが存在しない。メイン・ウェッジ６０の自重だけで、噴射ポンプ組立体４６を２つ（またはそれ以上の）調整位置決めネジ８０に当接させて、動水力および振動に抗して噴射ポンプ組立体４６を水平に支持することができる。メイン・ウェッジ６０の外面をブラケット７０のエッジ面に対して傾斜させることができた。
【０００６】
Erbesほか（米国特許第６，０５２，４２５号）は制止ブラケット２８Ａおよび２８Ｂを貫通する複数の位置決めネジ３２Ａ乃至３２Ｄを開示している。メイン・ウェッジは位置決めネジにから乖離した状態で３０Ａおよび３０Ｂとして図示されている。ここでは注水口ミキサー組立体１６Ａおよび１６Ｂの両側に制止ウェッジ装置が２つだけ設けられている。米国特許第７，６２７，０７４号（Erbesほか）はU-字形ブラケット内に収納されたデュアル・スプリング・ウェッジを開示しており、デュアル・ガイドロッドがU-字形ブラケットの頂部を貫通し、さらにスプリングを貫通してデュアル・ウェッジと当接する。この設計の問題点は複雑さと予想されるコストにある。噴射ポンプ・ウェッジに関するその他の特許としては、米国特許第４，６７５，１４９号；６，３２０，９２３号；６，４９０，３３１号；および６，７８８，７５６号（発明者はそれぞれ、Perryほか；Wivaggほか；Erbes；およびErbes）がある。既存の設計では、占有されることになるミキサー・ベリー・バンドと保持ブラケットとの間のスペースを測定する必要があり、従って、それぞれの特定箇所に合致するようにウェッジ装置に機械加工を施す必要がある。
【０００７】
必要とされるのは現場で機械加工を施す必要が無く、据え付けるために噴射ポンプを取り外す必要が無く、従って、修理コストを大幅に軽減することができ、所有企業にとって著しい利益となるように簡略化されたウェッジ設計である。さらにまた、調整ネジおよび２次的保持手段に隣接させて、またはその上方に、または関連させて設けた補助ウェッジ装置も必要となる。
【０００８】
従って、本発明の目的は噴射ポンプ・ハードウェアを取り外すこと無く上方から据え付けることができ、広範囲の製造変数を噴射ポンプ位置決めに適応させる機構を提供することにある。
【発明の概要】
【０００９】
上記問題点と要望に対応する本発明の目的は、
（ａ）１つの透孔を有する平坦な上端部と、横レールとを有し、２つの一体的な下方鉤状突出部が互いに正対して、横レールに取り付けられ、上方部材セクションおよび下方部材セクションを有する曲がったガル翼形状を呈する保持ブラケット・ボディ、
（ｂ）保持ブラケット・ボディの横レールに取り付けられる平坦な側部と、平坦な端部と、外方へ傾斜した側部とを有する単一の三角形スライド・ウェッジ、
（ｃ）平坦な上端部の透孔を貫通して三角形スライド・ウェッジの平坦な端部と接触する単一のスライド・ロッド、および
（ｄ）スライド・ロッド周りに設けられ、平坦な上端部と接触して三角形スライド・ウェッジの平坦な上端部に圧力を加えることによって，原子炉内での隣接する部材にも圧力を作用させる単一のバネから成る補助ウェッジ位置決め装置を提供することによって達成される。
上記鉤状突出部は横レールに続く平行部材セクション、中央上方部材セクション、下方部材セクション、および上方部材セクションと下方部材セクションと、上方部材セクションと下方部材セクションの双方と平行な翼安定化アタッチメントを含む。
【００１０】
本発明はまた、周方向保持ブラケットを有する少なくとも１つの噴射ポンプ組立体に冷却水を供給することができる立ち上がり配管を含み、保持ブラケットが少なくとも２つの振動減衰のための調整ネジを有し、それぞれの調整ネジが噴射ポンプ組立体と接触する調整ネジ・ブロック内に位置し、ブラケットが噴射ポンプ組立体の周りに配置されるとともに立ち上がり配管と接触し、かかる組立体および立ち上がり配管が原子炉稼働中に振動させられ，メイン・ウェッジが調整ネジと協働不能となるため、調整ネジに隣接させて少なくとも２つの別々の補助ウェッジ位置決め装置を配置した原子炉において、
（ａ）１つの透孔を有する平坦な上端部と、横レールとを有し、２つの一体的な下方鉤状突出部が互いに正対して、横レールに取り付けられ、上方部材セクションおよび下方部
材セクションを有する曲がったガル翼形状を呈し、少なくとも１つの調整ネジ・ブロックと接触するように構成された保持ブラケット・ボディ、
（ｂ）保持ブラケット・ボディの横レールに取り付けられる平坦な側部と、平坦な端部と、外方へ傾斜した側部とを有する単一の三角形スライド・ウェッジ、
（ｃ）平坦な上端部の透孔を貫通して三角形スライド・ウェッジの平坦な端部と接触する単一のスライド・ロッド、および
（ｄ）スライド・ロッド周りに設けられ、平坦な上端部と接触して三角形スライド・ウェッジの平坦な上端部に圧力を加えることによって、原子炉内での隣接する部材にも圧力を作用させる単一のバネから成る少なくとも２つの別々の補助ウェッジ位置決め装置をも提供する。
【００１１】
繰り返し説明すると、本発明の補助ウェッジはウェッジ作用を利用し噴射ポンプ保持ブラケットと噴射ポンプ・ミキサーとの間の接触支持関係（図２参照）を回復する。ウェッジはバネ力と重力との組み合わせを利用することによって据え付け後の安定を維持するため、ミキサーの整合変動を連続的に調整し、補正する。ウェッジ組立体、注入口ミキサーおよび保持ブラケット間の接触線は三角形を形成して、据え付け時の安定性を高める（図４参照）。部材１５２のような鉤状突出部、および翼安定化アタッチメント／接触パッド１５５は調整ネジ・ブロック１２２’（図６参照）と接触または隣接することによって、ミキサーを中心とする過度の周方向移動を防止する。これらの突出部分はまた、ミキサーが設置されている状態における装置の据え付けを容易にし、振動状態下における垂直方向の維持を助ける。翼安定化アタッチメントは上方部材セクションとも下方部材セクションとも平行であり（特に図６参照）且つ少なくとも１つの調整ネジ・ブロックに隣接し、補助ウェッジの周方向移動の防止に寄与する。従って、安定化アタッチメントをこのように配置することが本発明において極めて重要である。三角形接触という設計は他の設計のように現場での研削や測定を必要とすることなくウェッジの安定性確保を可能にする。行程を極力大きくすることによって、最小限の装置台数で既存の個々の原子力発電所間に存在する広い範囲に亘る離間距離の違いに適応することができる。
【００１２】
特許請求の範囲において定義する本発明は以下の詳細な説明と、本発明の好ましい実施態様としてのＢＷＲ噴射ポンプ組立体およびウェッジ位置決め装置を例示する添付の図面からさらに明らかになるであろう。
【図面の簡単な説明】
【００１３】
【図１】図１は噴射ポンプ組立体の構成を示すため一部破断して略示する原子炉圧力容器公知例の斜視図である。
【図２】図２は調整位置決めネジを含むブラケットによって水平に支持された公知の噴射ポンプ組立体の部分斜視図である。
【図３】図３はメイン・ウェッジの位置及び連携の補助ウェッジ組立体を持たない２つの位置決め/調整ネジを示す公知の噴射ポンプ組立体の平面図である。
【図４】図４は補助安定化ウェッジとして挿入されて噴射ポンプ組立体と当接した位置で示す本発明のウェッジ補助位置決め装置の立体組立図である。
【図５】図５は制止ブラケット連携可能な図４のウェッジ位置決め装置の組立図である。
【図６】図６は図４において一部のみ示したウェッジ位置決め装置の底部保持孔１１５と共に、ネジ・ブロックに設けられた調整ネジの位置および「ガル翼」状に曲がった突出部と，保持ブラケット１２１をも示すウェッジ位置決め装置の底部保持孔１１５の正面図である。
【図７】本発明を最も分かり易く示す図７は図５のウェッジ位置決め装置の頂面図であり、「ガル翼」の形状を示すと共に翼安定化アタッチメント/コンタクト・パッドを明示する図である。
【図８】図８はキャプチャー・ロッドを取り付けた状態でのウェッジ位置決め装置の断面図である。
【図９】図９は安定化された噴射ポンプ組立体および立ち上がり配管の第１実施態様を一部破断して示す立体図であり、１対の補助ウェッジ位置決め装置が約１２０°の間隔で、且つメイン・ウェッジと対向配置されている状態を示す。
【図１０】図１０は安定化された噴射ポンプ組立体および立ち上がり配管の第２実施態様を一部破断して示す立体図であり、１対の補助ウェッジ位置決め装置が約１２０°の間隔で、且つメイン・ウェッジと対向配置されている状態を示す。
【図１１】図１１は図１０に対応する側面図であり、図９を他の方向から示す図でもある。
【発明を実施するための形態】
【００１４】
本発明は一般的には噴射ポンプ組立体の噴射ポンプ保持ブラケットとミキサー部との間のスペースを埋めるためにウェッジ作用を加えるように構成された補助ウェッジ・バネ装置に関わる。
【００１５】
添付図面における図４および５は本発明の主要実施態様による補助ウェッジ位置決め装置１００のそれぞれ斜視図と分解組立図である。補助ウェッジ位置決め装置１００は保持ブラケット・ボディ１０２と、単一のバネ１０３と、キャプチャー・ロッド１０４と、スライド・ウェッジ１０５と、ピン１０６と，単一のスライド・ロッド１０７を含む。特に図５から明らかなように、保持ブラケット・ボディ１０２はその平坦な上端（バネ制止）部１０８から延びるレール１１０を含み、保持ブラケット・ボディ１０２の第１端部１１６において平坦な上端部１０８はレール１１０からほぼ９０°曲げられている。第１端部１１６と対向する第２端部には上記「ガル翼」形状に湾曲した補助突出部１１１が形成されている（図５，６および７参照）。従って、ブラケット・ボディ１０２の頂部はＵ字形というよりもＬ字形である。特に図４及び５から明らかなように、ガル翼を形成する湾曲突出部は互いに正確に対向し、平行部材セクション１５０の一部としてレール１１０に取り付けられる。
【００１６】
図６に示す鉤状突出部１１１は横レール１１０および保持ブラケット・ボディ１０２から９０°の角度で外方へ、レールに隣接する平行部材セクション１５０へ移行し；保持ブラケット・ボディ１０２に対して約２０°乃至６０°の角度で取り付けられた中央上方部材セクション１５２を有し、上方部材セクション１５２から約７０°乃至１１０°の角度１５８で取り付けられた下方部材セクション１５６で終わっている。上記の角度に応じて図６の内容も変わってくる。図６および７にも示すように、上方部材セクション１５２および下方部材セクション１５６の底面に接合されているガル翼安定化アタッチメント１５５は振動に対するガル翼の安定性を確保するだけでなく、後刻、翼安定化アタッチメント１５５と接触することになるネジ・ブロック１２２’と隣接させることによって、ガル翼の剛性を高めて、補助ウェッジ位置決め装置全体が過度に周方向へ移動するのを容易にするかまたは防止するように作用する。図７に平行線１５９で示すように、安定化アタッチメント１５５は上方部材セクション１５２および下方部材セクション１５６と平行である。図７には面取りセクション１５２，１５６をも示してある。
【００１７】
再び図５において、平坦な上端（バネ制止）部１０８はスライド・ロッド１０７を収容するための透孔１０９を含む。スライド・ロッド１０７の第１端部が透孔１０９に挿入される。次いで、スライド・ロッド１０７に被さり且つロッド１０７を囲むようにバネ１０３を挿入することにより、バネ１０３の第１端部１０３’が平坦な上端（バネ制止）部１０８の一方の側と当接し、第２端部１０３”がスライド・ウェッジ１０５に圧力を加える。
【００１８】
ウェッジの上端部１１８に可変圧力を加えるために、単一バネ１０３は本発明にとって不可欠である。補助スライド・ウェッジ１０５を保持ブラケット・ボディ１０２のレール１１０に沿って摺動させ、バネの第２端部１０３”と接触させ、次いで、スライド・ロッド１０７の第１端部を補助スライド・ウェッジ１０５に嵌入する。ウェッジ・ピン１０６をスライド・１０５の第１の側に形成されている孔１１２、スライド・ロッド１０７の第１端部に形成されている孔１１３およびスライド・ウェッジ１０５の第２の側に形成されている（図示しない）孔に挿通することにより、バネの第２端部１０３”をウェッジ１０５の平坦な上端部１１８と引張力下に係合させる。図７および８は煩雑になるのを避けるため，図４乃至図６と同じ符号でウェッジ位置決め装置を示す補足図面である。また、図６に示すように、鉤状ガル翼突出部１１１の上方部材セクション１５２の下方に配置され、ガル翼と接点１２３，１２４において接触する位置決めネジ・ブロック１２２’へ、保持ブラケット１２１を貫通して位置決めネジ１２２が螺入される。レール１１０の側方に位置する切削孔１１５は保持ブラケット１２１頂部の上方に図示されている。この切削孔１１５は図５および図８にも図示されている。
【００１９】
ウェッジ・ピン１０６はスライド・ロッド１０７をスライド・ウェッジ１０５と結合するように構成されている。バネ１０３をやや圧縮するようにスライド・ウェッジ１０５を平坦な上端（バネ制止）部１０８に向かって押す。次いで、スロット１１４を介してスライド・ウェッジ１０５にキャプチャー・ロッド１０４が挿入される。次いで、キャプチャー・ロッド１０４が保持ブラケット・ボディ１０２の第２端部に結合される。スロット１１４とキャプチャー・ロッド１０４が協働することによって、スライド・ウェッジ１０５が保持ブラケット・ボディ１０２の長さに沿って移動することを可能にする。
【００２０】
即ち、要約すると、ウェッジ位置決め装置は下端に２つの一体的な鉤状突出部／翼１１１が形成されているレール１１０を有する保持ブラケット・ボディ１０２を含み、保持ブラケット・ボディが角度のある上端（バネ制止）部１０８を有し、この上端部１０８に形成した孔１０９にスライド・ロッド１０７が挿通され、スライド・ロッド１０７にはウェッジ・ピン１０６を挿通するための孔１１３が形成されており，スライド・ロッドがバネ１０３を所要の位置に保持する。バネ１０３がスライド・ウェッジ１０５の平坦なウェッジ上端部１１８と接触することによってスライド・ウェッジをレール１１０と接触する位置に保持する。
【００２１】
図９において、補助ウェッジ位置決め装置１００はスプリング力と重力との組み合わせを利用することによって、関連構成部分（例えば、噴射ポンプ組立体１２０、保持ブラケット１２１、位置決めネジ１２２、位置決めネジ・ブロック１２２’など）に発生する可能性がある整合性の変動を連続的に調整して据え付け後の安定性を確保する。本発明の装置は点線で図示してある三角形スリー・ライン・コンタクト１６２を採用することによって、すべての部品間の安定性を維持することができる。本発明の装置は少なくとも１つの保持ブラケット位置決めネジ・ブロック１２２’の頂部または底部と接触するように構成された鉤状突出部／ガル翼１１１を有する。但し、一部を図示してある研削孔１１５は保持ブラケット１２１の上方に位置するのが普通である。１つの実施態様においては、これらの突出部１１１の少なくとも１つが、図１０に示すように、突出部１１１の下方に位置する位置決めネジ・ブロック１２２’と接触する。本発明の一部を構成する要件ではないが、２次的な保持手段１３０をも図示した。位置決めネジ・ブロック１２２’内の調整位置決めネジ１２２は噴射ポンプ組立体１２０周りの過度の周方向移動を防止する。調整位置決めネジ・ブロック１２２’は突出部１１１の少なくとも１つと、図示のように、ガル翼の下側位置１６０（図６）で接触するように配置される。
【００２２】
これらの突出部１１１，１１１’は、噴射ポンプ組立体１２０が設置されたままの状態で装置を据え付ける作業を容易にし、振動状態下での安定性を可能にする。１つの実施態
様においては，三角形スリー・ライン・コンタクト設計１６２が、現場での研削や測定を必要とすることなくウェッジの安定化を可能にする。１つの実施態様においては、ウェッジ位置決め装置１００が既存の個々の原子力発電所に応じて異なる離間距離の大幅なばらつきにも対応できるようにバネ１０３を選択する。立ち上がり配管１４４および噴射ポンプ組立体１２０とブラケット１２１との間の空洞をも図示した。
【００２３】
図１１は煩雑になるのを避けるため図１０と同じ符号を付してある図１０に対応する側面図であるが、調整ネジ・ブロックは図示されていない。メイン・ウェッジ手段１４０は両補助ウェッジ１００から１１０°乃至１３０°、通常は１２０°の位置に配置されている。
【００２４】
現時点において最も実用的であり且つ好ましいと考えられる実施態様に基づいて、本発明の詳細を以上に説明したが、上記した詳細はあくまでも説明のためのものであり、本発明は上記の実施態様に制限されるものではなく、付記の特許請求範囲に記載の思想および範囲を逸脱しない変更および等価構成をも含むものである。例えば、可能な限りにおいて、本発明の或る実施態様の１つまたは２つ以上の構成要件を他の実施態様の１つまたは２つ以上の構成要件と組み合わせることも可能である。
【図４】
2013510316.tif 000003
【図５】
2013510316.tif 000004
【図６】
2013510316.tif 000005
【図７】
2013510316.tif 000006
【図８】
2013510316.tif 000007
【図９】
2013510316.tif 000008
【図１０】
2013510316.tif 000009
【図１１】
2013510316.tif 000010
【図１】
2013510316.tif 000011
【図２】
2013510316.tif 000012
【図３】
2013510316.tif 000013
【国際調査報告】
2013510316.tif 000014